(57)【要約】      （修正有）【課題】油膜処理装置の構造を提供する。【解決手段】接続チューブセット１及び浮遊ブイ２で構成する油膜処理装置である。接続チューブセット１及び浮遊ブイ２は互いに接続し、接続チューブセット１に含まれるのは第一接続チューブ１１及び第二接続チューブ１２であり、第一接続チューブ１１の一端は第二接続チューブ１２の一端と接続する。浮遊ブイ２の一端は第二接続チューブ１２の別端と連通するように設置する。また浮遊ブイ２は浮遊ブイ２の別端のチューブ口に間隔を開けて複数の浮きブロックを凸設し、各浮遊ブイ２の中に一つの空気室を設置する。また、浮遊ブイの浮きブロックの間に一つの排水口を形成する。よって、浮遊ブイ２を第二接続チューブ１２に挿入し、且つ浮遊ブイ２の空気室の設置により、或いは全体の比重を調整して水面に浮かばせる。【選択図】図１
0003182271.tif 000002
【実用新案登録請求の範囲】
【請求項１】
接続チューブ及び浮遊ブイを含み、
該接続チューブセットと浮遊ブイは互いに接続し、該接続チューブセットは第一接続チューブ及び第二接続チューブを含み、該第一接続チューブの一端は第二接続チューブの一端と接続し、
前記浮遊ブイの一端は第二接続チューブの別端と連通するように設置し、また浮遊ブイの別端のチューブ口に間隔を開けて複数の浮きブロックを凸設し、且つ浮きブロックと浮きブロックの間に少なくとも一つの排水口を形成し、該排水口の底辺が浮きブロックの底面より低く、且つ各浮きブロック内に一つの空気室を設け、
浮遊ブイは浮きブロック内の空気室の設置により水面に浮き、浮遊ブイが沈む時、水面に漂う油膜汚れは浮遊ブイを通じて、接続チューブセットから排出されて、水面上の清潔を保つことを特徴とする油膜処理装置の構造。
【請求項２】
前記接続チューブセットの第一接続チューブと第二接続チューブの接続端の反対端に更にモーターを設置し、該モーターは一つの吸引口を具有し、該吸引口は第一接続チューブと接続して水面上にある油膜汚れを吸引することを特徴とする請求項１記載の油膜処理装置。
【請求項３】
前記第一接続チューブと第二接続チューブが接続する一端の外周に進水緩衝穴を複数本並列して設置することを特徴とする請求項２記載の油膜処理装置。
【請求項４】
前記第二接続チューブが第一接続チューブと接続する一端は套接部であり、該套接部の口径は第一接続チューブより大きく、且つ套接部は第一接続チューブの進水緩衝穴を設ける一端に套接し、進水緩衝穴が外界と連通する数をコントロールすることで、モーターの吸引力を緩和或いは強化することを特徴とする請求項３記載の油膜処理装置。
【請求項５】
前記第二接続チューブが第一接続チューブと接続する一端は挿入部であり、該挿入部の口径は第一接続チューブの口径より小さく、挿入部を第一接続チューブの進水緩衝穴を設ける一端に挿入し、緩衝穴が外界と連通する数をコントロールすることで、モーターの吸引力を緩和或いは強化することを特徴とする請求項３記載の油膜処理装置。
【考案の詳細な説明】
【技術分野】
【０００１】
本考案は油膜処理装置の構造に関し、特に有効的に水面にある油膜層を排出し、且つ組立、メンテナンスするのに便利且つ迅速である油膜処理装置に関する。
【背景技術】
【０００２】
現代人々は快適且つセンスのある生活環境を追い求めるために、多くの装飾品で自宅或いは店舗を飾りつける。通常の装飾品は水晶玉、盆栽にウォーターウォールに金魚鉢などがあり、居住スペース或いは過ごす環境が生き生きとした変化に富む場所にする。人々はそれらの装飾品によって心に快適さや癒しをもたらし、生活の楽しさを増すことができる。
【０００３】
しかし、環境が次第に汚染されているなか、空気の汚れ具合がますますひどくなる。オートバイや自動車の排気に、レストランや自宅での料理の際に排出される油煙やスモーカー一族が吐出するタバコの煙など、これらの汚れは次第に空気の質に影響を及ぼすと共に、汚れが空気に乗って至る所に運ばれる。また、これらの汚れの比重と密度は全て空気より重い。よって、汚れは容易く風に乗って漂い、装飾品の表面に付着する。
【０００４】
多くの装飾品のうち、水の流れのある金魚鉢を例に説明する。この類の水の流れのある装飾品が長時間空気と接触すると、空気に含まれる汚れが次第に金魚鉢の中から排出される二酸化炭素と結び合わせて水面上に一層の油膜を形成する。この油膜は水に溶けない上に、金魚鉢内の二酸化炭素が空気中にある酸素との交換を阻止し、及び光の屈折などを遮るため、金魚鉢内の生態環境を破壊することになる。空気の汚れが金魚鉢の生態環境に影響を及ぼすほか、生物に与えるエサと生物の排泄物も金魚鉢内の生態環境に影響を及ぼす。エサと生物の排泄物は全て油質成分を具有する。エサを金魚鉢に入れてある一定時間を経っても完全に食べられていない時、或いは生物の排泄物がある一定時間を経っても掃除されない時、水面上に一層の油膜層が形成し、酸素交換を阻止し、光の屈折を遮り、その上水草及び生物の死亡を招くことになる。そうなると時間と体力を使って金魚鉢を洗い、生物と水草を交換しなければならない。生物と水草が死ぬと、別途新しい生物を購入し、死亡した生物を処理する必要があることを鑑みて、更なる改善が必要であった。
【０００５】
前記問題を解決するため、通常金魚鉢の中に例えば光調整装置、温度のコントロール装置、或いは水中の酸素含有量を提供する装置など、多くの異なる機能の調整装置を設置することで、金魚鉢内の生態環境を保ち、多くの装置を使って、生物が生存していくのに適切な環境を作り出す。しかし、前記装置を使っても、有効的に水面上にできた油膜層を取り除くことができず、人工的に取り除く必要がある。よって市場では人の手を煩わなくても水面にできた油膜層を取り除く装置が案出されている。公知の特許申請案第３０１１１９号の「水槽油膜処理器」は、チューブ本体、微調整スイッチ及び浮きチューブで構成し、該チューブ本体は固定器を使って水槽内壁に固定することができる。チューブ本体の底辺に水汲み台を形成し、水汲み台の周囲面に若干の貫通する槽を設け、且つ内側の底辺に内ネジを設ける。微調整スイッチの回転棒の下側にストッパープレイトを形成し、その上延伸して棒及びネジ山を設け、それをチューブ本体内に挿入する。ネジ山を内ネジの位置で螺合することで、水汲み台周囲にある槽を開閉して流す量を変えることができる。浮きチューブを挿入設置して合わせて使用することにより、水面に漂う油膜及び水草が生成する油膜を吸引し、ろ過器のろ過により、簡単に油膜を取り除く及び調整して使用する効果に達する。
【０００６】
前記「水槽油膜処理装置」は従来技術の人工の方法を用いて油膜を除去するしか、金魚鉢内の生態環境を維持できない方法を改善したが、この技術は設置する上で煩雑且つ面倒であり、使用する部品も比較的多く、コストアップに繋がるほか、作業時間が増えて、組立、メンテナンス面も面倒であることを鑑みて、更なる改善が必要であった。
【先行技術文献】
【特許文献】
【０００７】
【特許文献１】実用新案公開平６−６１０６５号公報
【考案の概要】
【考案が解決しようとする課題】
【０００８】
前記公知構造の欠点を解決するため、本考案では組立、メンテナンスの不便や、全体的に使用する部品が多く、コストが上がり、且つ製造時間の増加及び体力の消耗などの欠点を解決する油膜処理装置を提供することを主な課題とする。
【課題を解決するための手段】
【０００９】
上述の目的を解決するために、本考案は水面に浮かぶ油膜汚れを吸引する油膜処理装置を提供し、それに含まれるのは接続チューブセット及び浮遊ブイである。
【００１０】
該接続チューブセットと浮遊ブイは互いに接続し、該接続チューブセットに含まれるのは第一接続チューブ及び第二接続チューブである。該第一接続チューブの一端は第二接続チューブの一端と接続する。
【００１１】
該浮遊ブイの一端は第二接続チューブの別端と連通するように設置する。また浮遊ブイの別端のチューブ口に間隔を開けて複数の浮きブロックを凸設し、且つ浮きブロックと浮きブロックの間に少なくとも一つの排水口を形成し、該排水口の底辺が浮きブロックの底面より低い。各浮きブロック内に一つの空気室を設ける。
【００１２】
よって、浮遊ブイは浮きブロック内の空気室の設置により水面に浮いている。浮遊ブイが沈む時、水面に漂う油膜汚れは浮遊ブイを通じて、接続チューブセットから排出されて、水面上の清潔を保つ。
【００１３】
本考案の油膜処理装置は更に下記の技術特徴を具有する：
１、該接続チューブセットの第一接続チューブと第二接続チューブの接続端の反対端に更にモーターを設置する。該モーターは一つの吸引口を具有し、該吸引口は第一接続チューブと接続し、水面上にある油膜汚れを吸引する。
【００１４】
２、該第一接続チューブと第二接続チューブが接続する一端の外周に進水緩衝穴を複数本並列して設置する。
【００１５】
３、該第二接続チューブが第一接続チューブと接続する一端は套接部であり、該套接部の口径は第一接続チューブより大きく、且つ套接部は第一接続チューブの進水緩衝穴を設ける一端に套接し、且つ進水緩衝穴が外界と連通する数をコントロールすることで、モーターの吸引力を緩和或いは強化する。
【００１６】
４、該第二接続チューブが第一接続チューブと接続する一端は挿入部であり、該挿入部の口径は第一接続チューブの口径より小さく、且つ挿入部を第一接続チューブの進水緩衝穴を設ける一端に挿入し、同時に緩衝穴が外界と連通する数をコントロールすることで、モーターの吸引力を緩和或いは強化する。 
【考案の効果】
【００１７】
本考案は接続チューブセット、浮遊ブイ及びモーターで構成し、接続チューブセットの一端は浮遊ブイ、別端はモーターと接続する。浮遊ブイは浮きブロック及び少なくとも一つの排水口で形成する。モーターを用いて浮遊ブイを吸引して浮き具合をコントロールすることで水面に漂う油膜汚れが浮遊ブイの中に流れ、浮遊ブイと接続する接続チューブセットを通じて排出され、水面の清潔を保つ。
【図面の簡単な説明】
【００１８】
【図１】本考案を水槽内に設置する略図である。
【図２】本考案の部品分解の立体略図である。
【図３】本考案の浮遊ブイの局部立体拡大略図である。
【図４】本考案の油膜流動の略図である。
【図５】本考案の第二接続チューブを第一接続チューブに挿入した略図である。
【図６】本考案の第三接続チューブを第一接続チューブ及び第二接続チューブに套接する略図である。
【図７】本考案の第二実施例の形態略図である。
【考案を実施するための形態】
【実施例】
【００１９】
本考案の油膜処理装置は主に組立、メンテナンスにかかる作業時間、及び精力の消耗を節約し、且つ迅速、簡単に組立てることができる。また、少量の部品で組立てることで全体のコストを下げる。本考案では二つの実施例を挙げる。第一実施例では各部品の組立関係及び主な関連する働きと特徴について言及し、各図面と共に説明を行う。
【００２０】
図１から図４に示すのは本考案の第一実施例である。水面に浮かぶ油膜汚れを吸引する本考案の油膜処理装置に含まれるのは接続チューブセット１及び浮遊ブイ２である。
【００２１】
該接続チューブセット１と浮遊ブイ２は互いに接続し、該接続チューブセット１に含まれるのは第一接続チューブ１１及び第二接続チューブ１２である。該第一接続チューブ１１の一端は第二接続チューブ１２の一端と接続する。
【００２２】
該浮遊ブイ２の一端は第二接続チューブ１２の別端と連通するように設置する。また浮遊ブイ２の露出している一端のチューブ口に間隔を開けて複数の浮きブロック２１を凸設する。且つ浮きブロック２１と浮きブロック２１の間に少なくとも一つの排水口２２を形成し、該排水口２２の底辺が浮きブロック２１の底面より低い。各浮きブロック２１内に一つの空気室２１１を設ける。
【００２３】
よって、浮遊ブイ２は浮きブロック２１内の空気室２１１の設置により水面に浮いている。浮遊ブイ２が沈む時、水面に漂う油膜汚れは浮遊ブイ２を通じて、接続チューブセット１から排出されて、水面上の清潔を保つ効果と目的に達する。(前述の本考案の主な実施例の技術特徴は、本考案請求項１の内容と対応し、本考案の目的及び実施形態が分かる。ほかの請求項にて言及する技術特徴は、請求項１の内容の詳細或いは付加技術特徴であり、請求項１の範囲を制限するものではなく、本考案の請求項１は他の請求項にて言及する技術特徴を必ず含む必要がない)。
【００２４】
図４に示すように、浮遊ブイ２がスムーズに水面に浮いている油膜汚れを吸引するために、該接続チューブセット１の第一接続チューブ１１と第二接続チューブ１２の接続端の反対端に更にモーター３を設置する。該モーター３は一つの吸引口３１を具有し、モーター３の吸引力を介し、浮遊ブイ２を油膜汚れの下に沈ませる。また、浮遊ブイ２が沈むことで油膜汚れが排水口２２から浮遊ブイ２の中に流れる。更にモーター３の吸引力を介し、油膜汚れを浮遊ブイ２、第二接続チューブ１２及び第一接続チューブ１１を通って吸引し出すため、水面をきれいに保つことができる。
【００２５】
図１、図２及び図４に示すように、浮遊ブイ２の沈み具合をコントロールし、浮遊ブイ２がモーター３の吸引力によって完全に水中に沈むのを避けるために、該第一接続チューブ１と第二接続チューブ１２が接続する一端の外周に進水緩衝穴１３を複数本並列して設置する。進水緩衝穴１３の設置により、モーター３の吸引力を緩和することができ、浮遊ブイ２が深く沈まないようになる。（本考案はモーター３が浮遊ブイ２に対して作動する吸引力を説明しているものであり、進水緩衝穴１３の配列或いは数を限定するものではない。）
【００２６】
前記第一実施例の油膜処理装置に基づき、下記の接続部品１内の第一接続チューブ１１と第二接続チューブ１２の接続形態を説明する。
【００２７】
１、第一接続方法：図２及び図４に示すように、該第二接続チューブ１２が第一接続チューブ１１と接続する一端は套接部１２１であり、該套接部１２１の口径は第一接続チューブ１１より大きく、且つ套接部１２１は第一接続チューブ１１の進水緩衝穴１３を設ける一端に套接する。第二接続チューブ１２の套接部１２１を介し、第一接続チューブ１１の進水緩衝穴１３の設ける位置及び、外界と通じる数をコントロールする。進水緩衝穴１３が外界と連通する数が多いほど、モーター３が浮遊ブイ２の吸引力を緩和することができるため、浮遊ブイ２の沈み具合が浅くなる。
【００２８】
２、第二接続方法：図５に示すように、該第二接続チューブ１２が第一接続チューブ１１と接続する一端は挿入部１２２であり、該挿入部１２２の口径は第一接続チューブ１１の口径より小さく、挿入して設置する方法を介し、挿入部１２２を第一接続チューブ１１の進水緩衝穴１３を設ける一端に挿入し、挿入部１２２を使って第一接続チューブ１１内部にて進水緩衝穴１３が外界と連通するのを遮断し、モーター３の浮遊ブイ２に対する吸引力を調整する必要がある場合、第二接続チューブ１２の挿入部１２２を次第に進水緩衝穴１３を遮断する位置から外し、一部の進水緩衝穴１３を次第に外界と連通させることで、モーター３が浮遊ブイ２に対して作動する吸引力を緩めることができる。
【００２９】
第三接続方法：前記二種類の接続方法のほかに、図６に示すように、第一接続チューブ１１と第二接続チューブ１２の間に第三接続チューブ１４を接続する。該第三接続チューブ１４と第一接続チューブ１１及び第二接続チューブ１２の接続方法は、前記第一実施例と同じく套接の方法で組み合わせる。或いは前記第二実施例と同じく挿入の方法で組み合わせるほか、第三接続チューブ１４の一端を套接の方法で接続し、別端は挿入の方法で接続することもできる。（前記の第三実施例は、モーター３が浮遊ブイ２に対する吸引力をコントロールする説明であり、当該接続方法を限定するためのものではない。）
【００３０】
図７に示すのは本考案の第二実施例であり、第一実施例との違いは：浮遊ブイ２０全体の材質の比重が水の密度より小さい（本考案の浮遊ブイ２０の材質の比重は１より小さい）、且つ浮きブロック２１０内に空気室２１１を設置せず、浮遊ブイ２０の比重の配合を介し、浮遊ブイ２０の浮きブロック２１０を設ける一端を水面に浮かせてから、更にモーター３の吸引力を利用して、浮遊ブイ２０を吸引して油膜汚れより下に沈ませることで、水面にある油膜汚れが浮遊ブイ２０の排水口２２０から浮遊ブイ２０の中に流れ、更に第一接続チューブ１１と第二接続チューブ１２の接続により吸引して排出することで、水面を清潔に保つことができる。
【００３１】
図７に示すのは本考案の第二実施例である。浮遊ブイ２０全体或いは浮きブロック２１０の材質はプラスティック或いは密度が水より軽いものである(一般的にプラスティックの密度は各１立方センチメートルは０．９〜２．３グラムの間であり、各種の発泡プラスティックの密度はもっと低く、各１立方メンチメートルは約０．０１〜０．５グラムの間である)。また、比較的多くの空気を含む木製材料などとすることができる。この類の水の密度よりも軽いプラスティック材質或いは空気を多く含む木製材料を介し、更に浮力＝液面下の体積×液体密度の方程式を使って、浮遊ブイ２０の浮きブロック２１０を設置する一端を水面上に浮かせてから、更にモーター３の吸引力を使って浮遊ブイ２０を吸引して水面下に沈ませることで、油膜汚れが浮遊ブイ２０にある排水口２２０の一端から流れ入る。（本考案の浮遊ブイ２０が水面に浮くのは、浮きブロック２１０がプラスティック材質或いは木製材料を例として挙げたが、それによって材質を限定するものではない。）
【００３２】
以上の実施例による本考案の詳細な説明は本考案の範囲を制限するものではない。本技術に熟知する者が、本考案の範囲内にて行う変更や調整を行っても、本考案の重要な意義は失われず、本考案の範囲に含まれる。
【符号の説明】
【００３３】
１  接続チューブセット
１１  第一接続チューブ
１２  第二接続チューブ
１２１  套接部
１２２  挿入部
１３  進水緩衝穴
１４  浮きブロック
【図１】
0003182271.tif 000003
【図２】
0003182271.tif 000004
【図３】
0003182271.tif 000005
【図４】
0003182271.tif 000006
【図５】
0003182271.tif 000007
【図６】
0003182271.tif 000008
【図７】
0003182271.tif 000009
【手続補正書】
【提出日】平成25年1月9日(2013.1.9)
【手続補正１】
【補正対象書類名】実用新案登録請求の範囲
【補正対象項目名】請求項１
【補正方法】変更
【補正の内容】
【請求項１】
第一接続チューブ及び第二接続チューブを含む接続チューブセットと、該接続チューブセットに接続する浮遊ブイと、を含む油膜処理装置の構造であって、
該第一接続チューブの一端は第二接続チューブの一端と接続し、
前記浮遊ブイの一端は第二接続チューブの別端と連通するように設置し、また浮遊ブイの別端のチューブ口に間隔を開けて複数の浮きブロックを凸設し、且つ浮きブロックと浮きブロックの間に少なくとも一つの排水口を形成し、該排水口の底辺が浮きブロックの底面より低く、且つ各浮きブロック内に一つの空気室を設け、
浮遊ブイは浮きブロック内の空気室の設置により水面に浮き、浮遊ブイが沈む時、水面に漂う油膜汚れは浮遊ブイを通じて、接続チューブセットから排出されて、水面上の清潔を保つことを特徴とする油膜処理装置の構造。